(57)【要約】【課題】ノイズを除去するラインフィルタにおいて、ボビンに挿入するセンター磁芯と閉磁路磁芯との距離を製造上一定にでき、ノーマルモード特性を安定化させるラインフィルタを提供するものである。【解決手段】ボビンの中鍔部にセンター磁芯をガイドする貫通ガイド孔を設け、ボビンの貫通穴に閉磁路磁芯を組み込む。そして一方巻線および他方の巻線をボビンに巻回し、センター磁芯を貫通ガイド孔に外側から内側へ挿入する。そして閉磁路磁芯を端子台に固定し、ボビンに設けた治具挿入孔から治具でセンター磁芯の位置補正用加工部を加圧し、センター磁芯をボビン外周方向に移動させ端子台に設けた位置決め部に固定した。【選択図】 図１
2007080951.tif 000002
【特許請求の範囲】
【請求項１】
中心軸部に貫通孔を有すると共に外周の両端に外鍔部を有するボビンと、前記ボビンの貫通孔に中央磁脚を挿入した日字状の閉磁路磁芯と、前記ボビンに巻回する一方の巻線および他方の巻線と、前記ボビンに挿入するセンター磁芯と、前記閉磁路磁芯を保持する端子台とを具備するラインフィルタにおいて、
前記ボビンは、前記外鍔部の略中央に前記一方の巻線および前記他方の巻線とを分割する前記センター磁芯が挿入される中鍔部を有し、
前記中鍔部は、前記センター磁芯をスライドさせるガイド機能を備える貫通ガイド孔を有し、
前記端子台は、前記ボビンに巻回した前記一方の巻線と前記他方の巻線と、その周りを囲む前記閉磁路磁芯とを絶縁する絶縁壁を設け、前記中鍔部に対向する部分に前記センター磁芯を位置決めする位置決め部があることを特徴とするラインフィルタ。
【請求項２】
前記位置決め部は、前記センター磁芯を前記貫通ガイド孔内で前記ボビンの外周方向に移動させて位置を固定する際の位置決め手段であることを特徴とする請求項１に記載のラインフィルタ。
【請求項３】
前記センター磁芯は、前記中央磁脚に向かい合う面の少なくとも一方に位置補正用加工部を有し、
前記ボビンは、前記位置補正用加工部に対応する治具挿入孔を有し、前記治具挿入孔から治具を挿入して前記位置補正用加工部を加圧して、前記センター磁芯が前記位置決め部に固定される手段を設けたことを特徴とする請求項１又は２に記載のラインフィルタ。
【請求項４】
前記ガイド機構は、前記センター磁芯が有する凹部もしくは凸部に対応して前記貫通ガイド孔の内側に設けられた凸部もしくは凹部であることを特徴とする請求項１乃至３のいずれか１項に記載のラインフィルタ。
【請求項５】
前記センター磁芯は、前記閉磁路磁芯と非接触位置で前記位置決め部に固定されていることを特徴とする請求項１乃至４のいずれか１項に記載のラインフィルタ。
【請求項６】
前記ボビンの中心軸部に閉磁路磁芯の中央磁脚が挿入され前記ボビンが組み合わされ、前記ボビンに前記一方の巻線および前記他方の巻線を巻回した後、前記センター磁芯を前記ボビンの前記貫通ガイド孔に外側から内側に挿入し、前記閉磁路磁芯を前記端子台に固定後、前記センター磁芯を前記貫通ガイド孔内で前記ボビンの外周方向に移動させて前記位置決め部に位置を固定することを特徴とする請求項１乃至５のいずれか１項に記載のラインフィルタの製造方法。
【請求項７】
前記センター磁芯は、前記中央磁脚に向かい合う面の少なくとも一方に位置補正用加工部を有し、前記ボビンは、前記位置補正用加工部に対応する治具挿入孔を有するものであって、前記治具挿入孔から治具を挿入して前記位置補正用加工部を加圧することにより、
前記センター磁芯を前記貫通ガイド孔内で前記ボビンの外周方向に移動させて前記位置決め部に位置を固定することを特徴とする請求項６に記載のラインフィルタの製造方法。
【請求項８】
前記ボビンを冶具で加圧することにより、前記センター磁芯を前記貫通ガイド孔内で前記ボビンの外周方向に移動させて前記位置決め部に位置を固定することを特徴とする請求項６に記載のラインフィルタの製造方法。
【発明の詳細な説明】
【技術分野】
【０００１】
本発明は、各種電子機器に用いられるラインフィルタに関するものである。
【背景技術】
【０００２】
従来のラインフィルタについて、図面を参照して説明する。
図９は従来のラインフィルタの斜視図であり、図１０は同ラインフィルタのセンター磁芯の斜視図であり、図１１は同ラインフィルタのボビンの斜視図である。
【０００３】
図９、図１０、図１１において、従来のラインフィルタは、中心軸部に円筒の貫通穴を有するボビン１と、このボビン１の貫通穴に挿入する中央磁脚２１を有する日字状の閉磁路磁芯２と、このボビンに巻回した一方の巻線および他方の巻線と、このボビン１の内周側にある凹部１ａに内側より配置されたセンター磁心３と、このセンター磁芯３をボビン１内に固定する係止片１ｃと、このボビン１および閉磁路磁芯２を支持固定する端子台４と、この端子台４に植設し一方の巻線および他方の巻線を接続した端子５１とを設けている。
【０００４】
ボビン１は、複数の円形鍔と複数の巻回部を持ち２個に分割され、分割された個片ボビンの内周部に凹部１ａを設け、その凹部１ａにセンター磁芯３が係止片１ｃによる係止手段により配置される。組み合わせた個片ボビンは、日字状の閉磁路磁芯２の中央磁脚が配置され、一方の巻線と他方の巻線とが巻回される。
【０００５】
個片ボビンには、外周面に通過する貫通窓１ｂを設けており、この貫通窓１ｂに突出する突起部３ａを設けたセンター磁芯３が配置され、閉磁路磁芯２と非接触になるように、センター磁芯３の一部を露出させている。  
なお、この出願に関連する先行技術文献としては、例えば、特許文献１が知られている。
【特許文献１】特開２０００−１９５７３０号公報
【発明の開示】
【発明が解決しようとする課題】
【０００６】
しかしながら、このような構造のものでは、センター磁芯３は、ボビン１の凹部１ａの両端部にある係止片１ｃにより係止して凹部１ａ内で固定されるが、凹部１ａにボビンの内側よりセンター磁芯３を挿入できるように、先端に係止片１ｃの両側にスリットを設けて係止片１ｃに弾性を持たせて、センター磁芯３を弾性的に保持しているので、コイルを巻回するときなどに係止片１ｃが外側に開いてしまい、センター磁芯３の位置を調整するが正確な位置に固定できず、ノーマルモードノイズの除去に悪影響がある。
【０００７】
また、センター磁芯３をボビン１の内周面側から外周面側に押圧する係止片１ｃを設けており、凹部１ａの底面に向かってセンター磁芯３が押圧されており、個片ボビンの外側から貫通窓１ｂを通して突起部３ａを押すが、係止片１ｃが樹脂等の弾性体でできているため、センター磁芯３の位置は不安定となり正確に位置を決めることができない。
【０００８】
さらに、個片ボビンの外側から貫通窓１ｂを通して突出部３ａを押すが、コイルが巻回されているボビン１を分解できないため、センター磁芯３と閉磁路磁芯２との位置を一定にすることができない。
【０００９】
そのため、ボビン１に挿入したセンター磁芯３と閉磁路磁芯２との位置が一定であるとは限らず、ノーマルモード特性が安定しない問題があった。
【００１０】
そこで本発明は、センター磁芯３と閉磁路磁芯２との位置を製造上一定にしてノーマルモード特性を安定化させるラインフィルタを提供するものである。
【課題を解決するための手段】
【００１１】
上記課題を解決するため、本願発明では請求項１に示すように、中心軸部に貫通孔を有すると共に外周の両端に外鍔部を有するボビンと、前記ボビンの貫通孔に中央磁脚を挿入した日字状の閉磁路磁芯と、前記ボビンに巻回する一方の巻線および他方の巻線と、前記ボビンに挿入するセンター磁芯と、前記閉磁路磁芯を保持する端子台とを具備するラインフィルタにおいて、前記ボビンは、前記外鍔部の略中央に前記一方の巻線および前記他方の巻線とを分割する前記センター磁芯が挿入される中鍔部を有し、前記中鍔部は、前記センター磁芯をスライドさせるガイド機能を備える貫通ガイド孔を有し、前記端子台は、前記ボビンに巻回した前記一方の巻線と前記他方の巻線と、その周りを囲む前記閉磁路磁芯とを絶縁する絶縁壁を設け、前記中鍔部に対向する部分に前記センター磁芯を位置決めする位置決め部があることを特徴とするラインフィルタであり、センター磁芯の位置が安定する。
【００１２】
請求項２に示すように、前記位置決め部は、前記センター磁芯を前記貫通ガイド孔内で前記ボビンの外周方向に移動させて位置を固定する際の位置決め手段であることを特徴とする請求項１に記載のラインフィルタであり、センター磁芯の位置決めを正確に行うことができる。
【００１３】
請求項３に示すように、前記センター磁芯は、前記中央磁脚に向かい合う面の少なくとも一方に位置補正用加工部を有し、前記ボビンは、前記位置補正用加工部に対応する治具挿入孔を有し、前記治具挿入孔から治具を挿入して前記位置補正用加工部を加圧して、前記センター磁芯が前記位置決め部に固定される手段を設けたことを特徴とする請求項１又は２に記載のラインフィルタであり、ノーマルモード特性が向上する。
【００１４】
請求項４に示すように、前記ガイド機構は、前記センター磁芯が有する凹部もしくは凸部に対応して前記貫通ガイド孔の内側に設けられた凸部もしくは凹部であることを特徴とする請求項１乃至３のいずれか１項に記載のラインフィルタであるので、センター磁芯は、ボビンに簡単に組立てすることができ作業性がよくなる。
【００１５】
請求項５に示すように、前記センター磁芯は、前記閉磁路磁芯と非接触位置で前記位置決め部に固定されていることを特徴とする請求項１乃至４のいずれか１項に記載のラインフィルタであり、ノーマルモード特性が安定する。
【００１６】
請求項６に示すように、前記ボビンの中心軸部に閉磁路磁芯の中央磁脚が挿入され前記ボビンが組み合わされ、前記ボビンに前記一方の巻線および前記他方の巻線を巻回した後、前記センター磁芯を前記ボビンの前記貫通ガイド孔に外側から内側に挿入し、前記閉磁路磁芯を前記端子台に固定後、前記センター磁芯を前記貫通ガイド孔内で前記ボビンの外周方向に移動させて前記位置決め部に位置を固定することを特徴とする請求項１乃至５のいずれか１項に記載のラインフィルタの製造方法であるので、作業性がよくなり簡単に組立てできる。
【００１７】
請求項７に示すように、前記センター磁芯は、前記中央磁脚に向かい合う面の少なくとも一方に位置補正用加工部を有し、前記ボビンは、前記位置補正用加工部に対応する治具挿入孔を有するものであって、前記治具挿入孔から治具を挿入して前記位置補正用加工部を加圧することにより、前記センター磁芯を前記貫通ガイド孔内で前記ボビンの外周方向に移動させて前記位置決め部に位置を固定することを特徴とする請求項６に記載のラインフィルタの製造方法であるので、簡単に組立できる。
【００１８】
請求項８に示すように、前記ボビンを冶具で加圧することにより、前記センター磁芯を前記貫通ガイド孔内で前記ボビンの外周方向に移動させて前記位置決め部に位置を固定することを特徴とする請求項６に記載のラインフィルタの製造方法であるので、容易に組立できる。
【発明の効果】
【００１９】
以上のような本発明によれば、中鍔部がセンター磁芯を外側から挿入できる貫通ガイド孔を有しているため、ボビンにコイルを巻回した後にセンター磁芯を装着でき、巻回し時のセンター磁芯の位置ずれ問題が発生しない。また、貫通ガイド孔はセンター磁芯を外側からスライドさせる際のガイド機能を備えると共に、端子台が中鍔部に対向する部分にセンター磁芯を位置決めする位置決め部を有するため、従来例のように、センター磁芯を弾性的に保持することなく位置決めを行うことができ、センター磁芯の位置が安定しノーマルモード特性が安定する。
【００２０】
また、センター磁芯が中央磁脚に向かい合う面の両端部に位置補正用加工部を有すると共に、ボビンが位置補正用加工部に対向する治具挿入孔を有し、治具挿入孔から治具を挿入して位置補正用加工部を加圧し、センター磁芯を貫通ガイド孔内でボビンの外周方向に移動させ、端子台に設けた位置決め部によってセンター磁芯の位置が固定されるため、センター磁芯と閉磁路磁芯との距離が一定になり、ノーマルモード特性が安定する。
【００２１】
また、センター磁芯は閉磁路磁芯と非接触状態で位置決め部に固定されていることにより、ノーマルモード特性が向上する。
【００２２】
また、貫通ガイド孔のガイド機構が、センター磁芯が有する凹部もしくは凸部に対応して貫通ガイド孔の内側に設けられた凸部もしくは凹部であることにより、センター磁芯をボビンに簡単に装着することができ、作業性が向上する。
【発明を実施するための最良の形態】
【００２３】
ボビンの中鍔部にセンター磁芯をガイドする貫通ガイド孔を設け、ボビンに一方巻線および他方の巻線を巻回する。その後、センター磁芯を貫通ガイド孔に外側から内側に挿入し端子台に固定する。ボビンに設けた治具挿入孔から治具でセンター磁芯の位置補正用加工部を加圧し、センター磁芯をボビン外周方向に移動させ端子台に設けた位置決め部に固定させた。
【００２４】
図１は、本発明の一実施の形態におけるラインフィルタの分解斜視図である。
図２は、本発明の実施例に用いられるラインフィルタの斜視図である。
図３は、本発明の実施例に用いられるセンター磁芯の斜視図である。
図４は、本発明の他の実施の形態に用いられているセンター磁芯の斜視図である。
図５は、本発明の実施例に用いられるコイル巻回後のボビンにセンター磁芯を配置する前の正面図である。
図６は、本発明の実施例に用いられるコイル巻回後のボビンにセンター磁芯を挿入した断面図である。
図７は、本発明の実施例に用いられるボビンと閉磁路磁芯を端子台に組み合わせた断面図である。
図８は、本発明の実施例に用いられるセンター磁芯の位置決めの断面図である。
【実施例】
【００２５】
図１〜図４において、本実施例におけるラインフィルタは、中心軸部に円筒の貫通穴１１を有するボビン１と、このボビン１の貫通穴１１に挿入する中央磁脚２１を有する日字状の閉磁路磁芯２と、このボビン１に巻回した一方の巻線１３および他方の巻線１４と、このボビンの略中央にある貫通ガイド孔１８に挿入されたセンター磁芯３と、このボビン１および閉磁路磁芯２とを支持固定する端子台４と、この端子台４に植設し一方の巻線１３および他方の巻線１４を接続した端子５１と、コモンモードを除去する除去手段とノーマルモードを除去する除去手段とを設けている。
【００２６】
ボビン１は、２分割した半円筒形の巻枠からできており、中心軸部に円筒状の貫通穴１１を有し、この貫通穴１１に日字状の閉磁路磁芯２の中央磁脚２１が挿入される。このボビン１には、２つの外鍔部１２と略中央に一方の巻線１３と他方の巻線１４とを分割する中鍔部１５を設け、一方の巻線１３及び他方の巻線１４をさらにそれぞれ２つ以上に分割する分割鍔部１６を設け、外鍔部１２の一方にはボビンにコイルを巻回するときに外力から力を受け取る歯車１７を設けている。
【００２７】
またボビン１には、センター磁芯３を挿入する中鍔部１５に貫通ガイド孔１８を設けている。この貫通ガイド孔１８は、センター磁芯３がスライドされるガイド機能を有している。このガイド機能は、後述するセンター磁芯３の側面に設けた凸部３１と凹部３２の形状に対応する凹部１８ａと凸部１８ｂが貫通ガイド孔１８に設けられ、センター磁芯３が、一定方向に自由にスライドでき動けるようになっている。この貫通ガイド孔１８は、センター磁芯３が一定方向にスライドできるがセンター磁芯３を係止する手段を設けておらず、コイルをボビン１に巻回後にセンター磁芯３の位置決めのために接着剤を用いている。
【００２８】
またボビン１には、センター磁芯３の位置決めのために用いられる位置補正用加工部（後述の角部３３）に対応する治具挿入孔１ｄを設けている。この治具挿入孔１ｄは、本実施例では位置補正用加工部の上側に対応する場所に２つ設けられている。他の実施例として、ボビン１に設けた治具挿入孔１ｄを位置補正用加工部の横に設けてもよい。
【００２９】
閉磁路磁芯２は、日字状の形状で磁性体で出来ており、中央磁脚２１と両端磁脚２２とを有し、中央磁脚２１は面取りしている。
【００３０】
センター磁芯３は、磁性体であり両側面に凸部３１と凹部３２の形状を有し、それに対応する貫通ガイド孔１８に凹部１８ａと凸部１８ｂを設けている。凹部１８ａと凸部３１、凸部１８ｂと凹部３２がそれぞれ対応してガイドとなり、センター磁芯３は貫通ガイド孔１８中を一定左右方向のみ自由に動くことができスライドされて挿入される。
【００３１】
またセンター磁芯３は、ボビン１に挿入した後に位置決めに用いられる角部３３が設けられている。この角部３３は、加圧治具により図面上下方向により力Ｇが加えられ、その力Ｇによりセンター磁芯３を横方向にスライドさせる。この角部３３は、本実施例では位置補正用加工部として隅の角度を４５度にしたＣ面を用いたが、隅の角度を鋭角にした形状や、隅をＲ形状にしたものでもよい。また図４のように、角部３３を凹の溝形状にしてもよい。
【００３２】
またセンター磁芯３は、外面部３４と傾斜部３５と向かい面部３６とがある。向かい面部３６は、中央磁脚２１を包むようにお互いのセンター磁芯３が向かい合う面となる。外面部３４は、向かい面部３６と反対側の面になり、両端磁脚２２側の向かい合う面となる。傾斜部３５は、外面部３４と一部接しながらセンター磁芯３に角度をつけて設けている。この傾斜部３５の角度について、図７、図８の図面左右方向を水平方向としこの水平方向とこの傾斜部３５が交わる内角は本実施例では４５度にしたが鋭角でもよい。
【００３３】
この傾斜部３５は、図７、図８の右側のセンター磁芯３を見ると図面の上下に２つ設けられている。右側のセンター磁芯３において、図面上下方向の下の傾斜部３５を説明する。この下側の傾斜部３５は、センター磁芯３をスライドさせ位置決めするときに用いられる。この傾斜部３５は、ボビン１に閉磁路磁芯２を組み込みセンター磁芯３を挿入し端子台４に組み込んだ際に、端子台４に設けたボビン１を保持するボビン受部４５に非接触となる大きさとなっている。またこの傾斜部３５は、センター磁芯３が図面右側にスライドしたときに、外面部３４が両端磁脚２２と非接触となるように、端子台４に設けた位置決め部４４に当接され、センター磁芯３が位置決めされる。そしてこの傾斜部３５の傾斜の高さは、少なくともその高さの一部が位置決め部４４より高くなるよう設定される。上記説明は、図面の右側のセンター磁芯３についてだが、図面左側のセンター磁芯３についても同様である。
【００３４】
端子台４は、センター磁芯３が挿入されたボビン１と、そのボビン１の貫通穴１１に挟み組み合わされた中央磁脚２１を有する閉磁路磁芯２とを支持固定する。この端子台４は、ボビン１に巻回した一方の巻線１３と他方の巻線１４と、その周りを囲む閉磁路磁芯２とを絶縁する略垂直な絶縁壁４２を設けている。この端子台４は、この絶縁壁４２にボビン１の中鍔部１５に対応する切欠部４３を設け、この切欠部４３の一部に位置決め部４４を設けている。この端子台４には、絶縁壁４２を設けているので、一方の巻線１３及び他方の巻線１４と閉磁路磁芯２とを絶縁できる。また端子台４は、ボビン１の中鍔部１５に対応する切欠部４３の下側に、ボビン１を保持するボビン受部４５を設けている。
【００３５】
位置決め部４４は、閉磁路磁芯２を端子台４に支持固定した後の両端磁脚２２の内側に位置している。このような位置決め部４４は、本実施例では傾斜をつけた形状になっているが、Ｒ形状でもよい。
【００３６】
またセンター磁芯３の外面部３４から向かい面部３６までの長さは、中央磁脚２１の中心から絶縁壁４２の外側より短く、また中央磁脚２１の中心から絶縁壁の内側より長くなっている。
【００３７】
次にこのラインフィルタにはノイズを除去する手段として、コモンモードを除去する除去手段とノーマルモードを除去する除去手段がある。コモンモードを除去する除去手段は、一方の巻線１３と他方の巻線１４より発生するそれぞれの磁束を、閉磁路磁芯２内で、お互いに同方向になるとともに、お互いに非相殺になるようにしている。また、ノーマルモードを除去する除去手段は、一方の巻線１３と他方の巻線１４より発生するそれぞれの磁束を、ボビン１に配置したセンター磁芯３にはお互いに同方向に流すとともに、閉磁路磁芯２にはお互いに逆方向になるように流し、閉磁路磁芯２内で発生したお互いの磁束がお互いに非相殺になるようにしている。
【００３８】
このような構成のラインフィルタにおいて図５〜図８を参照して、以下にその組立て方を説明する。
【００３９】
図５、図６において、２分割した半円筒形の巻枠の中心軸部に日字状の閉磁路磁芯２の中央磁脚２１が挿入され、ボビン１が組み合わされる。このボビン１には、外鍔部１２の一方に歯車１７があり、外力を利用してこの歯車１７に回転力を加えて、中央磁脚２１を中心に回転させてコイルをボビン１に一方の巻線１３と他方の巻線１４を巻回する。その後、巻回したボビン１の貫通ガイド孔１８にセンター磁芯３を外側から内側に挿入する。
【００４０】
図７において、閉磁路磁芯２を図面水平方向にし、またボビン１にある治具挿入孔１ｄを図面上下方向にして、端子台４に固定させる。この端子台４には、略垂直な絶縁壁４２があり、この絶縁壁４２を閉磁路磁芯２の両端磁脚２２とコイルを巻回したボビン１との間に突出させる。閉磁路磁芯２は、図７に示すように絶縁壁４２に当接した状態で位置決めされる。閉磁路磁芯２と端子台４との固定には接着剤等を用いる。
【００４１】
図８において、ボビン１の治具挿入孔１ｄから先端が略突起状の治具Ｇで、センター磁芯３の角部３３を図面上下方向から加圧し、センター磁芯３を外側方向にスライドさせる。
センター磁芯３は、ボビン１の外側方向に移動して端子台４に設けた位置決め部４４に傾斜部３５が当接する。他の実施例として、センター磁芯３の貫通ガイド孔１８内のスライドに磁性体の特性を利用してマグネットによる吸引や、センター磁芯３をボビン１の外側から空気吸引よりスライドさせる方法がある。本実施例では、一番簡単な方法として、ボビン１に治具挿入孔１ｄから先端が略突起状の治具Ｇを用いて角部３３を図面上下方向から押しセンター磁芯３を位置決め部４４にスライドさせた。
【００４２】
このようなセンター磁芯３の外面部３４から向かい面部３６までの長さは、中央磁脚２１の中心から絶縁壁４２の外側より短く、また中央磁脚２１の中心から絶縁壁の内側より長くなっている。
【００４３】
そのためボビン１に閉磁路磁芯２を組み込みセンター磁芯３を挿入し端子台４に組み込んだ後、外面部３４は、センター磁芯３の位置を移動させ固定するときに閉磁路磁芯２の両端磁脚２２の内側と非接触となり位置決めできる。またセンター磁芯３に設けた凸部３１と凹部３２と、貫通ガイド孔１８の凹部１８ａと凸部１８ｂとのガイド機構があるため、センター磁芯はボビン１に確実に位置決めされる。他の実施例として、ボビン１の上面を先端が平坦な治具により加圧することにより、センター磁芯３は図面左右方向にスライドするスライド機構を有すると共に、傾斜部３５が位置決め部４４に当接するため、センター磁芯３がボビン１の外周方向に移動して位置決めされる。
【００４４】
そしてセンター磁芯３は、ボビン１の中鍔部１５に対応する切欠部４３に接着剤を塗布して、前記閉磁路磁芯２および前記センター磁芯３および前記ボビン１とを固定している。
【００４５】
これによりセンター磁芯３と閉磁路磁芯２との位置は製造上一定になり、ノーマルモード特性が安定できる。
【００４６】
そして、ボビン１に巻いた一方の巻線１３および他方の巻線１４は、端子台４に設けた端子５１に、半田付け等で接続する。
【００４７】
本発明の要旨となるところは、閉磁路磁芯２の中央磁脚２１をボビン１の貫通穴１１に挿入しボビン１に組み込みし、コイルをボビン１に巻回した後、センター磁芯３をボビン１の貫通ガイド孔１８に外側から内側へ挿入していることである。
【００４８】
またセンター磁芯３をボビン１に外側から内側に挿入する際のガイド機構として、センター磁芯３が有する凹部３２もしくは凸部３１に対応して、貫通ガイド孔１８の内側に設けられた凸部１８ｂもしくは凹部１８ａを設けていることである。
【００４９】
また、センター磁芯３の固定手段について、ボビン１に位置補正用加工部に対応する治具挿入孔１ｄを設け、そこへ治具を挿入し、ボビン１に向かい合って挿入されたセンター磁芯３の位置補正用加工部を加圧することにより、センター磁芯３がボビン１の外側方向へスライドし、端子台４に設けられた位置決め部４４に傾斜部３５が当接し、ボビン１の切欠部４３に接着剤を塗布して、前記センター磁芯３を前記閉磁路磁芯２および前記ボビン１に固定したことである。
【００５０】
以上のような構成であるので本発明の効果として、ボビン１にコイルを巻回した後にセンター磁芯３を装着できるため、巻回し時のセンター磁芯３の位置ずれ問題が発生することがなく、ノーマルモード特性が安定する。
【００５１】
またセンター磁芯３をボビン１に挿入する際のガイド機構があるため、センター磁芯３は、貫通ガイド孔１８に簡単に挿入でき作業性がよくなる。
【００５２】
またセンター磁芯３を保持しておく弾性体の係止片１ｃを設けておらず、係止片１ｃが弾性体であるため時間が経って外側に開くことによりセンター磁芯３が位置ずれしてしまうことがない。
【００５３】
以上説明したように本発明は、上記の実施例に限定されるものではなく、本発明の主旨を逸脱しない範囲において適宜変更して実施可能である。
【図面の簡単な説明】
【００５４】
【図１】本発明の一実施の形態におけるラインフィルタの分解斜視図である。
【図２】本発明の実施例に用いられるラインフィルタの斜視図である。
【図３】本発明の実施例に用いられるセンター磁芯の斜視図である。
【図４】本発明の他の実施の形態におけるセンター磁芯の斜視図である。
【図５】本発明の実施例に用いられるコイル巻回後のボビンにセンター磁芯を配置する前の正面図である。
【図６】本発明の実施例に用いられるコイル巻回後のボビンにセンター磁芯を挿入した断面図である。
【図７】本発明の実施例に用いられるセンター磁芯をボビンと端子台を組み合わせた断面図である。
【図８】本発明の実施例に用いられるラインフィルタの断面図である。
【図９】従来のラインフィルタの斜視図である。
【図１０】従来のラインフィルタのセンター磁芯の斜視図である。
【図１１】従来のラインフィルタのボビンの斜視図である。
【００５５】
１  ボビン
１ａ  凹部
１ｂ  貫通窓
１ｃ  係止片
１ｄ  治具挿入孔
１１  貫通穴
１２  外鍔部
１３  一方の巻線
１４  他方の巻線
１５  中鍔部
１６  分割鍔部
１７  歯車
１８  貫通ガイド孔
１８ａ  凹部
１８ｂ  凸部
２  閉磁路磁芯
２１  中央磁脚
２２  両端磁脚
３  センター磁芯
３ａ  突起部
３１  凸部
３２  凹部
３３  角部
３４  外面部
３５  傾斜部
３６  向かい面部
４  端子台
４１  開口部
４２  絶縁壁
４３  切欠部
４４  位置決め部
４５  ボビン受部
５１  端子
【図１】
2007080951.tif 000003
【図２】
2007080951.tif 000004
【図３】
2007080951.tif 000005
【図４】
2007080951.tif 000006
【図５】
2007080951.tif 000007
【図６】
2007080951.tif 000008
【図７】
2007080951.tif 000009
【図８】
2007080951.tif 000010
【図９】
2007080951.tif 000011
【図１０】
2007080951.tif 000012
【図１１】
2007080951.tif 000013